(57)【要約】      （修正有）【課題】通行に支障がなく、容易に改変が可能で、また、立体的な像を表示することで、アピール度の高い煙霧立体像表示装置及び立体広告装置を提供する。【解決手段】煙霧体３０を供給する煙霧供給手段と、この煙霧供給手段により得られた煙霧体に圧力を印加し環状の煙霧体を射出する射出口を複数個設置された煙霧体送出手段２０と、この煙霧体送出手段の前記射出口の各々から射出される煙霧体のタイミングを制御する射出タイミング制御手段１１とを備え、前記射出された煙霧体により立体像を形成表示する。【選択図】図１
2005004134.tif 000002
【特許請求の範囲】
【請求項１】
煙霧体を供給する煙霧供給手段と、
この煙霧供給手段により得られた煙霧体に圧力を印加し環状の煙霧体を射出する射出口を複数個設置された煙霧体送出手段と、
この煙霧体送出手段の前記射出口の各々から射出される煙霧体のタイミングを制御する射出タイミング制御手段とを備え、
前記射出された煙霧体により立体像を形成表示することを特徴とする煙霧立体像表示装置。
【請求項２】
前記煙霧供給手段は、
液体を保持する容器と、
この容器に保持された前記液体を加熱することにより煙霧体にする霧化手段とを有することを特徴とする請求項１記載の煙霧立体像表示装置。
【請求項３】
前記煙霧体送出手段は、前記射出口を一列に並べて設置されて成ることを特徴とする請求項１記載の煙霧立体像表示装置。
【請求項４】
前記一列に並べられた射出口をその並置方向と異なる方向に移動させる射出口移動手段を更に有することを特徴とする請求項３記載の煙霧立体像表示装置。
【請求項５】
前記前記煙霧体送出手段は、前記射出口を２次元的に並べて設置されて成ることを特徴とする請求項１記載の煙霧立体像表示装置。
【請求項６】
前記煙霧体送出手段は、
前記射出口を一列に並べて設置された第１の射出口列と、
射出口から射出する噴霧体が、前記第１の射出口列の各射出口から射出する煙霧体とほぼ垂直に衝突するように前記射出口を一列に並べて設置された第２の射出口列とから成ることを特徴とする請求項１記載の煙霧立体像表示装置。
【請求項７】
前記煙霧供給部により供給される前記煙霧体は、所定の色を有することを特徴とする請求項１乃至６のいずれか一項記載の煙霧立体像表示装置。
【請求項８】
前記煙霧供給部により供給される前記煙霧体は、所定のにおいを有することを特徴とする請求項１乃至７のいずれか一項記載の煙霧立体像表示装置。
【請求項９】
請求項１乃至７のいずれか一項記載の立体像表示装置の煙霧体により形成表示された立体像を広告表示に用いることを特徴とする立体広告装置。
【発明の詳細な説明】
【０００１】
【発明の属する技術分野】
本発明は、店舗や商品の広告表示装置などにおいて、立体的な像を構成することにより、視覚効果が向上せられることと、見る方向によって表示内容の変換が発生し、アピール度が高く、かつ容易に表示内容を変えることができる立体像表示装置および立体広告装置に関する。
【０００２】
【従来の技術】
従来、商店の店先や歩道などには、人目を引く様に商店の場所や、商品の紹介、イベントの案内などに、木やアクリル板で製作された看板や、プラッスチックで形成された人形など、立体的な構造物で表示される広告物が配置されている。
【０００３】
しかしながら、これらの広告物は、人目につくことを目的としているため、人の通行に邪魔になる歩道に配置される場合があり、狭い歩道の場合には、車椅子の方などが通行する際に支障が生じたり、また、子供が接触して怪我をする懸念もある。
【０００４】
また、これらの広告は、一度製作したら、内容を容易に変更することはできないため、常に同一内容の広告をすることとなり、毎日通る人に対しては、アピール度を高めることができないものである。
【０００５】
このため、アピール度が高く、人が安全に通行が可能で、且つ効率的な運用が可能な広告表示装置が望まれていた。
【０００６】
なお、鍋やラーメンの容器から湯気を発生させ、この湯気によってアピール度を高める広告装置は知られている。しかし、この装置は、単に湯気を自然のまま発生させるのみで、立体像を構成する方式を提供するものではない。
【０００７】
また、水と低温液化ガスを接触させ、これにより発生する白煙をスクリーンとして形成し、このスクリーンに映像を映す演出装置も知られている（特許文献１参照）。
【０００８】
しかし、このように白煙をスクリーンとして形成し、スクリーンに映像を映す場合では、平面的な映像を表示するのみで、立体的な像を構成することは出来ず、アピール度は低いという問題があった。
【０００９】
また、立体構造枠体内部にＬＥＤ光源体を多数設置し、立体構造体周壁面に文字や図形、模様などの広告を表示する広告表示体も知られている（特許文献２参照）。
【００１０】
しかし、本装置は、立体構造枠体の内部から文字や図形を映し出すため、形状や内容は固定であり、自由に改変可能なものではない。さらに、立体構造体を用いていることにより、通行の支障が出たり、接触時の安全を考慮しているものではない。
【００１１】
一方、水を蒸発させて霧状にしこれに瞬間的な圧力を印加して、立体的な輪を射出するおもちゃが米国で販売され、インターネット上でホームページとして公開されている（非特許文献１参照）。しかし、これでは、輪を射出するのみであり、人目を惹く広告に使えるものではなかった。
【００１２】
【特許文献１】
・特開平７−５６２３５
【００１３】
【特許文献２】
・特開２００１−１４２４１７
【００１４】
【非特許文献１】
・ゼロブラスター（Ｚｅｒｏ  Ｂｌａｓｕｔｅｒ）、Ｚｅｒｏ  Ｔｏｙｓ，Ｉｎｃ．：インターネット＜Ｈｔｔｐ：／／ｗｗｗ．ｚｅｒｏｔｏｙｓ．ｎｅｔ＞
【００１５】
【発明が解決しようとする課題】
上記のように、通行する人にアピール度を高くするために、広告を立体的に表示しようとする従来の表示装置では、木やアクリルなどの立体構造物を用いる必要があったり、また、毎日通行する人に対してもアピール度を高くする為には改変が容易に可能なことが必要であるが、立体構造物を用いる方式では改変が難しく、また上記おもちゃでは広告に適さないという問題があった。
【００１６】
本発明は、このような従来の広告装置の問題点に鑑みてなされたもので、通行の支障がなく、容易に改変が可能で、また、立体的な像を表示することで、アピール度の高い立体像表示装置及び立体広告装置を提供することを目的とする。
【００１７】
【課題を解決するための手段】
上記目的を達成するために、本発明の請求項１によれば、煙霧体を供給する煙霧供給手段と、この煙霧供給手段により得られた煙霧体に圧力を印加し環状の煙霧体を射出する射出口を複数個設置された煙霧体送出手段と、この煙霧体送出手段の前記射出口の各々から射出される煙霧体のタイミングを制御する射出タイミング制御手段とを備え、前記射出された煙霧体により立体像を形成表示することを特徴とする煙霧立体像表示装置を提供する。
【００１８】
本発明の請求項２によれば、前記煙霧供給手段は、液体を保持する容器と、この容器に保持された前記液体を加熱することにより煙霧体にする霧化手段とを有することを特徴とする請求項１記載の煙霧立体像表示装置を提供する。
【００１９】
本発明の請求項３によれば、前記煙霧体送出手段は、前記射出口を一列に並べて設置されて成ることを特徴とする請求項１記載の煙霧立体像表示装置を提供する。
【００２０】
本発明の請求項４によれば、前記一列に並べられた射出口をその並置方向と異なる方向に移動させる射出口移動手段を更に有することを特徴とする請求項３記載の煙霧立体像表示装置を提供する。
【００２１】
本発明の請求項５によれば、前記前記煙霧体送出手段は、前記射出口を２次元的に並べて設置されて成ることを特徴とする請求項１記載の煙霧立体像表示装置を提供する。
【００２２】
本発明の請求項６によれば、前記煙霧体送出手段は、前記射出口を一列に並べて設置された第１の射出口列と、射出口から射出する噴霧体が、前記第１の射出口列の各射出口から射出する煙霧体とほぼ垂直に衝突するように前記射出口を一列に並べて設置された第２の射出口列とから成ることを特徴とする請求項１記載の煙霧立体像表示装置を提供する。
【００２３】
本発明の請求項７によれば、前記煙霧供給部により供給される前記煙霧体は、所定の色を有することを特徴とする請求項１乃至６のいずれか一項記載の立体像表示装置を提供する。
【００２４】
本発明の請求項８によれば、前記煙霧供給部により供給される前記煙霧体は、所定のにおいを有することを特徴とする請求項１乃至７のいずれか一項記載の煙霧立体像表示装置を提供する。
【００２５】
本発明の請求項９によれば、請求項１乃至７のいずれか一項記載の立体像表示装置の煙霧体により形成表示された立体像を広告表示に用いることを特徴とする立体広告装置を提供する。
【００２６】
【発明の実施の形態】
以下、本発明の各実施形態について図面を用いて説明する。
【００２７】
図１に本発明による立体像表示装置の一実施形態の構造を示す。同図に示すように、この立体像表示装置１の表示ユニットでは、内部に煙や霧状の気体（以下煙霧体という）を蓄積し、制御部からの信号を受け、内部の煙霧体を開口部から送出する送出手段２０−１〜２０−ｎが複数個、配置されている。
【００２８】
図示していないが、これらの送出手段には、液体例えば水を貯める容器と、この容器に貯められた水を毛細管現象により導き、水を加熱することにより霧状にする霧化装置が接続されている。上記送出手段は、各々、完全に独立していてもよいが、開口部のみ独立に設けられ、水を貯める容器及び霧化装置は共通とするようにすることもできる。
【００２９】
制御手段１１は、送出手段２０−１〜２０−ｎに対し、煙霧体を送出するタイミング、送出時間、送出速度を演算し、送出制御を行なう制御信号を伝送する。プログラム記憶手段１２は、制御手段１１の動作を構成するプログラムを記憶している。
【００３０】
情報記憶手段１３は、入力された立体構成させる文字や図形などの情報を記憶しておく記憶装置である。入力手段１４は、立体表示させる文字や図形、模様などの情報を制御手段に伝達するためのインターフェースであり、キーボードやマウス、タッチパネルなどの情報入力装置である。これらの各構成要素は、母線１５により連携されている。
【００３１】
図２（ａ）〜（ｄ）は、図１の表示ユニット１に示される送出手段２０の構成を示したものであり、図２（ａ）は、この立体表示装置の、内部に何も充填されていない初期状態を示す。
【００３２】
送出手段２０は、一方向に開口部２２を有する容器２１により構成され、この開口部２２に対向して、容器２１の内部の気体を外部に押し出すために、容器２１の内壁の大きさに合致した送り出し板２４が設けられている。図２（ｂ）は、煙霧供給部２３が制御手段１１の制御指示を受け、煙霧状の気体を煙霧供給部２３から容器２１に対し供給し、容器２１に煙霧体２５が充填される状態を示している。
【００３３】
なお、煙霧体２５としては、空気中に放出された場合に視認される気体であれば何ら制限がなく、燃焼煙、蒸気、ドライアイスの煙、水飛沫、微細な氷、ガスなど何ら限定されるものではない。
【００３４】
図２（ｃ）では、制御手段１１の制御指示に従って送り出し板２４が左右方向に振動動作した場合の状況を示す。この場合、容器２１内部の煙霧体２５は送り出し板２４が、バネや圧縮空気、ソレノイドなどの動力によって、急速に移動する際の圧力により、開口部２２を経由し、容器２１の外部に放出される。このとき、煙霧体２５は開口部２２が容器２１の断面より小さいために圧力を高められ、勢いよく放出されると共に、放出された煙霧体は環状煙霧体３０となる。
【００３５】
なお、送り出し板２４は、上記構成に限定されるものではなく、複数の容器壁面を移動させたり、容器自体をゴムなどの弾力性を有する材料で構築し、内部の容積を急速に減少させる方式などでも良い。
【００３６】
環状噴霧体３０の大きさは、開口部２２の大きさと、容器２１の大きさや煙霧体２５の性状、送り出し板４の移動速度などの条件に依存する。このため、後述する様に、予めこれらの性状を計測し、これらの計測結果を元に制御手段１１の送出信号を決定する。
【００３７】
また、外部に射出された環状噴霧体３０は、放出された直後の大きさから、徐々に拡散しながら、送出手段の押し出し方向に従って、空間を移動し、その結果、最後には消滅する。
【００３８】
この現象は、タバコの煙を口に充満させて、頬を指で押すと、押し出された方向にタバコの煙が環状となって移動し、一定時間の後に周囲に拡散することにより煙が消滅するのと同様の事象である。
【００３９】
この様な送出手段２０を用いることにより、煙霧状の気体を、環状の形状にならしめ、かつ、方向性と速度を制御することが可能となる。この結果、複数の環状煙霧体３０を複数個連続させたり、目的の場所に移動させるなどの制御を行うことにより、煙霧体を組み合わせることが可能となる。この結果、煙霧体により、数字や文字、模様、図などを、立体像として自由に構成することが可能となる。
【００４０】
立体像としては、例えば店の位置を示す矢印や、電話番号、商品名、商品の形状そのものなどを像として作成することが可能である。
【００４１】
図３（ａ）（ｂ）では、制御手段１１において、送出手段２０に対して送出タイミングの指示を行う際に用いる制御条件の決定図表を示す。図３（ａ）では、送出タイミングの設定表４１、４２を示す。送出タイミングは、入力手段１４から数字、文字・記号、模様などを指定した際に、複数の送出手段を用いた場合に、どの送出手段がいつのタイミングで煙霧体を送出するかを定めた表であり、数字４１−１、文字・記号４１−２、模様４１−３の様に、各々目的とする分類に従って、区分して定めている。
【００４２】
数字２を例として表４２に詳細を示すと、数字の２を立体像として表すために、５つの送出手段２０−１〜２０−５を用いた場合、各々の送出手段はどのタイミングで煙霧体を送り出すかが黒丸（●）印で記載されている。この表において、ハイフン（−）部は、送り出すタイミングには設定しないことを表している。
【００４３】
すなわち送出手段１と３と５は、タイミング１、２、３のいずれにおいても煙霧体を射出する。送出手段２は、タイミング３においてのみ射出する。送出手段４は、タイミング１においてだけ煙霧体を射出すると決定されている。
【００４４】
これらのタイミングに従って送出手段が環状の煙霧体を送出することにより、数字の２が形成される。
【００４５】
図３（ｂ）では、開口部２２の直径（ｃｍ）に対して、送り出し速度によって煙霧体の直径（ｃｍ）がどの程度になるかを定めた相関図である。例えば開口部２２の直径が８ｃｍで送り出し速度が中程度であれば、環状煙霧体３０の直径は１５ｃｍ程度になる。このように開口部２２の直径を一定とすると、送り出し速度を調整することにより目的とする大きさの煙霧体が得られる。
【００４６】
なお、開口部２２と煙霧体の直径の相関のデータは、煙霧体の性状によっても異なることから、個別にデータを測定し、作成したい煙霧体の大きさに応じて開口部２２の大きさを予め定めておく。
【００４７】
また、図示していないが、送出するタイミングとしては、音楽の音の大きさやテンポに合わせて送出タイミング、送出量を変化させたり、通行人の数、昼と夜との差など、各種の条件を設定することで、立体像の構成に変化をつけることが可能であるため、これらの変化により、通行人へのアピール度を高めることが容易に可能となる。
【００４８】
図４（ａ）（ｂ）は、送出手段２０を複数個用い、それらを一次元方向に並べて配置した状態を示し、図４（ａ）は送出手段２０を一次元方向に並べ（２０ａ）、かつ平行に移動させた状態を示す。この結果、送出手段２０を単独で用いて環状煙霧体３０を送出する場合に比較し、同時に送出可能な環状煙霧体３０が複数個可能となるため、立体像の構成がより容易に、かつ柔軟に実現可能である。
【００４９】
図４（ｂ）は、送出手段の列（２０ａ）を円周状に移動させた場合の例を示している。この様に送出手段の列を移動させることにより、より立体感を強調した像を形成することが容易に可能となる。
【００５０】
図５は送出手段２０を２次元的に並べた例を示している（２０ｂ）。このように送出手段を２次元的に並設すると、同時に２次元的に煙霧体が送出可能となり、１次元に並べた場合に比して、店舗の商品やサービスを容易に想像させる立体像などの構築が、更に柔軟に構築が可能となる。
【００５１】
図６（ａ）は送出手段２０を複数の方向に配置し、立体像を構成する例を示している。一次元状に配置した送出手段２０を、垂直方向（２０ｃ）と水平方向（２０ｄ）に送出方向を定めて設置している。これらの送出手段２０ｃ、２０ｄから、垂直方向の環状煙霧体３０ｃと水平方向の環状煙霧体３０ｄが送出される。
【００５２】
この結果、図６（ｂ）に示す様に、例えば垂直方向から送出された環状煙霧体３０ｃに、水平方向からの環状煙霧体３０ｄが交差した煙霧体を構成したり、図示しないが、一方の煙霧体を通過する様な立体像を形成することが可能となる。
【００５３】
結局、このように送出手段を２方向に設けることによって、一方向だけに設置した場合には実現困難な、複雑な形状の環状煙霧体３０ｅを形成でき、新たな表現力が加わることとなり、これを用いることで、より斬新でアピール度が高い立体像が構成可能となる。
【００５４】
なお、各方向に設置する送出手段２０の形状は、図６（ａ）に示した一次元の配列をした形状のものには限定されず、単体の構成や、図５に示した２次元配列のもの、またはこれらを複数種類組み合わせた方式でも良い。
【００５５】
ところで、本発明の煙霧立体像表示装置により形成される煙霧体に、色や匂いを付けることも可能である。このような実施形態を次に説明する。
【００５６】
図７は、送出手段２０に、煙霧体２５に煙霧以外の要素として、香料供給部２７と色素供給部２８を設けた実施形態である。香料供給部２７からは所望の香料が容器内に供給されると共に、色素供給部２８からは所望の色素が容器内に供給される。これにより、送出される煙霧体に、香りや色を付加することが可能となり、例えばコーヒーや、焼き鳥、うなぎの蒲焼の匂いのする煙霧体、赤や青などの色彩の付いた煙霧体の送出が可能となる。なお、本発明では匂いと臭いを含めて「におい」と表現する。
【００５７】
この実施形態によれば、匂い及び色を伴った煙霧立体像を形成することが可能となり、よりアピール度が高い立体広告を行うことが可能となる。
【００５８】
ところで、煙霧体の元となる液体は上記実施形態のように水でもよいが、他の霧状になりやすい液体を用いることもできる。この液体自体に色が付いていたり、においがついているものを用いれば、図７で示した実施形態のように、噴霧体に色素や香料を供給する必要はない利点がある。
【００５９】
【発明の効果】
以上説明したように本発明によれば、通行の支障がなく、立体的な像を表示することで、アピール度高い立体像表示装置及び立体広告装置を提供することが可能である。また、立体像を改変しようとする場合においても、容易に実現でき、効率の良い煙霧立体像表示装置及び立体広告装置が得られる効果がある。
【図面の簡単な説明】
【図１】本発明一実施形態の構成例を示す図。
【図２】本発明一実施形態の送出手段の構成例を説明するための図。
【図３】本発明一実施形態の制御タイミングの設定方法を説明するための図。
【図４】本発明一実施形態の送出手段の他の実施例を説明するための図。
【図５】本発明一実施形態の送出手段の他の実施形態を説明するための図。
【図６】本発明一実施形態の送出手段の他の実施形態を説明するための図。
【図７】本発明一実施形態の送出手段の他の実施形態を説明するための図。
【符号の説明】
１…立体像装置、
１１…制御手段、
１２…プログラム記憶手段、
１３…情報記憶手段、
１４…入力手段、
１５…母線、
２０、２０ａ、２０ｂ、２０ｃ、２０ｄ…送出手段、
２１…容器、
２２…開口部、
２３…煙霧供給部、
２４…送り出し板、
２５…煙霧体、
２７…香料供給部、
２８…色素供給部、
３０、３０−１、３０−２、３０−３、３０−ｎ、３０ｃ、３０ｄ、３０ｅ…環状煙霧体、
４１、４１−１、４１−２、４１−３、４２…送出タイミング設定表。
【図１】
2005004134.tif 000003
【図２】
2005004134.tif 000004
【図３】
2005004134.tif 000005
【図４】
2005004134.tif 000006
【図５】
2005004134.tif 000007
【図６】
2005004134.tif 000008
【図７】
2005004134.tif 000009